(57)【要約】【課題】装置の大型化を抑制しつつ、電源に対して放出されるノイズを低減することができるミスト発生装置及び美容装置を提供する。【解決手段】電源から供給される電力に基づいて水を沸騰させてミストを生成する温ミストヒータ２６と、温ミストヒータ２６が生成したミストに対して放電を生じさせる放電針３６と、電源と温ミストヒータ２６とを電気的に接続する第２の導電路５２と、第２の導電路５２の途中位置に設けられ、温ミストヒータ２６に発生したノイズが第２の導電路５２を通じて電源に伝播することを規制するフィルタ回路４１と、を備える。【選択図】図３
2011239984.tif 000002
【特許請求の範囲】
【請求項１】
電源から供給される電力に基づいて液体を沸騰させてミストを生成するヒータと、
前記ヒータが生成した前記ミストに対して放電を生じさせる放電電極と、
前記電源と前記ヒータとを電気的に接続する導電路と、
前記導電路の途中位置に設けられ、前記ヒータに発生したノイズが前記導電路を通じて前記電源に伝播することを規制するノイズフィルタと、
を備えることを特徴とするミスト発生装置。
【請求項２】
請求項１に記載のミスト発生装置において、
前記ヒータの動作を制御する制御回路と、当該制御回路に発生したノイズが前記電源に伝播することを規制するノイズフィルタとを有する制御装置を更に備え、
前記ヒータは、前記制御装置に設けられた前記ノイズフィルタが前記ヒータと前記電源との間に介在するようにして前記制御装置に対して接続されることを特徴とするミスト発生装置。
【請求項３】
請求項２に記載のミスト発生装置において、
前記ヒータは、前記制御装置に設けられた前記ノイズフィルタに対して接続されることを特徴とするミスト発生装置。
【請求項４】
請求項１〜請求項３のうち何れか一項に記載のミスト発生装置において、
前記ヒータは、
前記電源から供給される電力に基づいて発熱する発熱体と、
前記発熱体を囲繞するように配置される導電体と
を含んで構成されると共に、
前記導電体が前記導電路に対して接続されることを特徴とするミスト発生装置。
【請求項５】
ミストを放出して肌表面の手入れを行う美容装置において、
請求項１〜請求項４のうち何れか一項に記載のミスト発生装置を備えたことを特徴とする美容装置。
【発明の詳細な説明】
【技術分野】
【０００１】
本発明は、静電霧化によって帯電微粒子液体を放出可能なミスト発生装置、及び当該ミスト発生装置を備えた美容装置に関する。
【背景技術】
【０００２】
従来、ミスト発生装置は、液体をボイラーにて沸騰させて気化させたスチームを人体の顔などに向けて放出することにより、肌に潤いを与えるなどの美容効果やスキンケアを目的とした装置として用いられている（例えば、特許文献１）。
【０００３】
この特許文献１に記載のミスト発生装置では、ボイラーによって生成されたスチームを装置の外部に放出させるスチーム流路の途中位置に、放電電極及び対向電極が設けられている。そして、このミスト発生装置では、放電電極と対向電極との間に高電圧を印加させることによって両電極間にアーク放電を起こさせる。その結果、放電電極の表面に結露した水に対して静電霧化が誘起されることにより、微細化されたスチームが生成されるようになっている。
【先行技術文献】
【特許文献】
【０００４】
【特許文献１】特許第３９２８３５７号公報
【発明の概要】
【発明が解決しようとする課題】
【０００５】
ところで、特許文献１に記載のミスト発生装置では、放電電極とボイラーとが近接して配置されている。そのため、放電電極からの放電の際に生じる放電ノイズが、放電電極からボイラーに対して輻射されたり、スチーム流路内のスチームを媒体としてボイラーに対して伝播されたりすることがあり得る。こうした場合、ボイラーに対して電力を供給する電源に対して放電ノイズが伝播することにより、電源を通じて周辺機器に対して悪影響を及ぼす虞があった。
【０００６】
そこで、ボイラーから電源への放電ノイズの伝播を回避するために、ボイラーと電源とを遠ざけることも考えられる。しかしながら、こうした場合、ボイラーと電源との間の距離を確保するために、装置の大型化が不可避となるという問題があった。
【０００７】
本発明は、このような事情に鑑みてなされたものであり、その目的は、装置の大型化を抑制しつつ、電源に対して放出されるノイズを低減することができるミスト発生装置及び美容装置を提供することにある。
【課題を解決するための手段】
【０００８】
上記目的を達成するために、本発明のミスト発生装置は、電源から供給される電力に基づいて液体を沸騰させてミストを生成するヒータと、前記ヒータが生成した前記ミストに対して放電を生じさせる放電電極と、前記電源と前記ヒータとを電気的に接続する導電路と、前記導電路の途中位置に設けられ、前記ヒータに発生したノイズが前記導電路を通じて前記電源に伝播することを規制するノイズフィルタと、を備えることを特徴とする。
【０００９】
また、本発明のミスト発生装置は、前記ヒータの動作を制御する制御回路と、当該制御回路に発生したノイズが前記電源に伝播することを規制するノイズフィルタとを有する制御装置を更に備え、前記ヒータは、前記制御装置に設けられた前記ノイズフィルタが前記ヒータと前記電源との間に介在するようにして前記制御装置に対して接続されることを特徴とする。
【００１０】
また、本発明のミスト発生装置において、前記ヒータは、前記制御装置に設けられた前記ノイズフィルタに対して接続されることを特徴とする。
また、本発明のミスト発生装置において、前記ヒータは、前記電源から供給される電力に基づいて発熱する発熱体と、前記発熱体を囲繞するように配置される導電体とを含んで構成されると共に、前記導電体が前記導電路に対して接続されることを特徴とする。
【００１１】
また、本発明の美容装置は、ミストを放出して肌表面の手入れを行う美容装置において、上記構成のミスト発生装置を備えたことを特徴とする。
【発明の効果】
【００１２】
本発明によれば、装置の大型化を抑制しつつ、電源に対して放出されるノイズを低減することができる。
【図面の簡単な説明】
【００１３】
【図１】第１の実施形態の美容器の斜視図。
【図２】本体ケースの側壁部の図示を省略した美容器本体の左側面図。
【図３】第１の実施形態の美容器の概略構成を示す模式図。
【図４】第２の実施形態の美容器の概略構成を示す模式図。
【図５】第３の実施形態の美容器の概略構成を示す模式図。
【発明を実施するための形態】
【００１４】
（第１の実施形態）
以下、本発明を美容器に具体化した第１の実施形態を図１〜図３に従って説明する。なお、以下の説明において、「前後方向」、「左右方向」、「上下方向」をいう場合には、図中における矢印に示す方向を示すものとする。
【００１５】
図１は、本実施形態のミスト発生装置を備える美容装置としての美容器１０を示す。図１に示すように、美容器１０は、有底略円筒状の本体ケース１１を有すると共に、その本体ケース１１内には美容器本体１２が収容されて固定されている。美容器本体１２における上ハウジング１３の上面１３ａの前側中央部には、上方に開口する開口部１３ｂが形成されている。また、上ハウジング１３には、この開口部１３ｂと整合させて凹部１５を形成するベース部材１６が組み付けられている。
【００１６】
ベース部材１６には、温ミストを放出（噴出）するミストノズル１７が上下方向（矢印Ｙａに示す）に回動可能に取着されている。そして、ミストノズル１７を上下方向に回動させることで、ミスト放出口１８から放出される温ミストの放出方向を上下方向に調整可能となっている。また、ベース部材１６においてミストノズル１７の後方には、ミストノズル１７を保護するためのノズルガード１９が上下方向（矢印Ｙｂに示す）に回動可能に取着されている。ノズルガード１９は、ミストノズル１７を覆う閉位置と、ミストノズル１７を開放する開位置との間で上下方向に回動可能に構成されている。
【００１７】
また、ノズルガード１９の後側には、ミストノズル１７から放出する温ミストを発生するのに使用される液体（本実施形態では、水）を、所定量（本実施形態では、約１００ｍｌ）貯留する給水タンク２１が、美容器本体１２に収納されている。給水タンク２１は、美容器本体１２に対して上下（垂直）方向に挿入及び取り出し可能に収納されている。また、美容器１０（本体ケース１１）の前面側において、上下方向の略中央には、静電霧化装置２２（点線で示す）により液体を霧化させることで発生させた帯電微粒子ミスト（帯電微粒子液体）を放出するための帯電微粒子ミスト放出口２３が設けられている。
【００１８】
図２に示すように、美容器本体１２には、美容器本体１２（上ハウジング１３）の上面１３ａに開口すると共に、給水タンク２１を収納可能なタンクホルダ２４が設けられている。また、タンクホルダ２４の下端には、耐熱性を備えた弾性材料（例えば、シリコンゴムやフッ素ゴム）で形成された給水パイプ２５の上流端が接続されていると共に、この給水パイプ２５の下流端は貯留部（図示略）に接続されている。貯留部は、供給された水を温ミストヒータ２６で加熱するための沸騰室２７（図３参照）に連通されている。
【００１９】
図３に示すように、温ミストヒータ２６は、発熱体としてのＰＴＣ（Positive temperature coefficient）素子２８と、このＰＴＣ素子２８の周囲を囲繞するように配置される導電体としての囲い板２９とを有している。そして、ＰＴＣ素子２８は、電源から供給される電力に基づいて発熱するようになっている。なお、囲い板２９は、温ミストヒータ２６の加熱面となる側面２９ａが、沸騰室２７の内壁面の一部を構成している。
【００２０】
また、図２に示すように、囲い板２９における加熱面とは反対側の裏面２９ｂには、ボルト及びボルト孔（図示略）からなる複数（本実施形態では６つ）の固定部３１が設けられている。そして、囲い板２９における複数の固定部３１のうち、上下方向の中央に位置する固定部３１には、導電線３２の一端が接続されている。また、導電線３２の他端は、美容器本体１２における上部前寄り位置に配設された制御基板３３に接続されている。なお、囲い板２９は、高い熱伝導性を有する金属材料（例えば、アルミニウムや銅）によって構成されている。そして、ＰＴＣ素子２８から伝播する熱によって加熱された囲い板２９が沸騰室２７に供給された水を加熱することにより、温ミストを発生させるようになっている。
【００２１】
また、図３に示すように、沸騰室２７には、沸騰室２７に発生した温ミストを上方に誘導すると共に、その温ミストを誘導途中で高圧放電により微細化（イオン化）する放電部３４を内部に備えた筒状の温ミスト誘導部３５が接続されている。放電部３４は、高電圧が印加される放電電極としての一対の放電針３６と、各放電針３６の間に配置される相手側電極３７とから構成されている。そして、放電部３４では、各放電針３６から相手側電極３７へのアーク放電によって温ミストが微細化されるようになっている。
【００２２】
次に、図３を参照しながら、本実施形態の美容器１０の電気的構成について説明する。
図３に示すように、本実施形態の美容器１０は、電源コード３８に接続される電源回路３９と、当該電源回路３９からの電源供給に基づき放電部３４及び温ミストヒータ２６を制御するための制御装置としての制御基板３３とを備えている。電源回路３９と温ミストヒータ２６（囲い板２９）との間は、電源回路３９から温ミストヒータ２６に電力を供給する第１の導電路５１で接続されると共に、この第１の導電路５１とは別の第２の導電路５２によっても接続されている。また、電源回路３９と放電部３４との間は、電源回路３９から放電部３４に電力を供給する第３の導電路５３で接続されている。なお、第２の導電路５２の一部は既述した導電線３２により構成される。
【００２３】
制御基板３３は、放電部３４及び温ミストヒータ２６を制御するための各種の演算処理を実行する制御回路４０、及び当該制御回路４０と電源回路３９との間に介設されるフィルタ回路４１とを有している。フィルタ回路４１は、コイルやコンデンサ等を組み合わせることにより構成されると共に、制御回路４０よりも電源回路３９側となるようにして制御回路４０と共に第２の導電路５２の途中に設けられている。そして、フィルタ回路４１は、制御回路４０に発生したノイズが制御回路４０から電源回路３９を通じて電源に放出されることにより周辺機器に影響を及ぼすことを規制している。また、フィルタ回路４１は、電源から電源コード３８を通じて電源回路３９に伝播したノイズが電源回路３９から制御回路４０に伝播されることにより制御回路４０の動作に影響を及ぼすことも規制している。なお、本実施形態では、導電線３２は、囲い板２９に対する接続部とは反対側の端部が、制御基板３３の制御回路４０に対して接続されている。
【００２４】
そして、制御基板３３は、制御回路４０から高電圧発生部４３に対して制御信号を送信することにより、放電部３４においてアーク放電を生じさせるための高電圧を高電圧発生部４３に生成させると共に、その生成させた高電圧を放電針３６に印加させている。また、制御基板３３は、制御回路４０から温ミストヒータ２６に対して制御信号を送信することにより、電源から電源回路３９を通じてＰＴＣ素子２８に供給される電圧の大きさを調整している。
【００２５】
次に、上記のように構成された美容器１０の作用について説明する。
さて、本実施形態では、放電部３４において放電針３６から相手側電極３７に対してアーク放電が誘起されると、放電部３４には放電ノイズが発生する。すると、放電部３４から放射状に輻射される放電ノイズの一部が囲い板２９に伝播されたり、温ミスト誘導部３５内を流動する温ミストを媒体として放電部３４から囲い板２９に対して放電ノイズが伝播されたりすることがあり得る。特に、放電部３４と温ミストヒータ２６とが近接して配置される場合には、放電部３４から輻射される放電ノイズが温ミストヒータ２６に対して伝播され易くなる。
【００２６】
この点、本実施形態では、囲い板２９が導電線３２を介して制御回路４０に対して接続されると共に、制御回路４０がフィルタ回路４１を介して電源回路３９に対して接続されている。そのため、放電部３４に発生した放電ノイズが囲い板２９に対して伝播したとしても、こうした放電ノイズは、導電線３２を通じて制御回路４０に伝播した後、制御回路４０から電源回路３９への伝播に際してフィルタ回路４１によって減衰される。したがって、放電部３４から囲い板２９に放電ノイズが伝播したとしても、こうした放電ノイズが電源を通じて外部に放出されることが抑制される。
【００２７】
したがって、本実施形態によれば、以下に示す効果を得ることができる。
（１）放電針３６から相手側電極３７への放電の際に生じる放電ノイズが放電針３６から温ミストヒータ２６に対して伝播したとしても、こうした放電ノイズはフィルタ回路４１によって減衰される。そのため、温ミストヒータ２６から電源に対して放電ノイズが伝播されることが抑制される。すなわち、温ミストヒータ２６と電源とを近接して配置したとしても、温ミストヒータ２６に伝播された放電ノイズが電源に対して伝播されることが抑制される。したがって、装置の大型化を抑制しつつ、電源を通じて外部に放出される放電ノイズを低減することができる。
【００２８】
（２）制御基板３３に設けられたフィルタ回路４１は、制御回路４０に発生したノイズが電源に放出されることを抑制するだけでなく、温ミストヒータ２６に発生したノイズが電源に放出されることを抑制する役割も果たす。したがって、温ミストヒータ２６に発生したノイズが電源に放出されることを抑制するための部材を新たに設けることが不要となるため、部品点数の削減に貢献することができる。
【００２９】
（３）温ミストヒータ２６は、ＰＴＣ素子２８を囲繞するように配置された囲い板２９が導電線３２を通じて制御回路４０に接続されている。そのため、放電部３４から囲い板２９に対して放電ノイズが伝播したとしても、こうした放電ノイズは導電線３２を通じた電源回路３９への伝播に際してフィルタ回路４１によって減衰される。そのため、囲い板２９に伝播された放電ノイズが電源に対して伝播されることを抑制できる。
【００３０】
（第２の実施形態）
次に、本発明の第２の実施形態を図４に従って説明する。なお、第２の実施形態は、囲い板２９が導電線３２を介してフィルタ回路４１に接続されている点が第１の実施形態と異なる。したがって、以下の説明においては、第１の実施形態と相違する構成について主に説明するものとし、第１の実施形態と同一又は相当する構成については同一符号を付して重複説明を省略するものとする。
【００３１】
さて、図４に示すように、囲い板２９は、導電線３２を介してフィルタ回路４１に接続されていることから、ノイズ除去機能を有するフィルタ回路４１を介して電源回路３９に接続されていることになる。そのため、放電部３４に発生した放電ノイズが囲い板２９に対して伝播したとしても、こうした放電ノイズは、囲い板２９から導電線３２を通じた電源回路３９への伝播に際してフィルタ回路４１によって減衰される。したがって、放電部３４から囲い板２９に放電ノイズが伝播したとしても、こうした放電ノイズが電源を通じて外部に放出されることが回避される。
【００３２】
また同様に、囲い板２９はフィルタ回路４１を介して制御回路４０に対しても接続されている。そのため、放電部３４から囲い板２９に伝播した放電ノイズは、囲い板２９から導電線３２を通じた制御回路４０への伝播に際してフィルタ回路４１によって減衰される。したがって、放電部３４から囲い板２９に放電ノイズが伝播したとしても、こうした放電ノイズが制御回路４０に伝播されることが抑制される。
【００３３】
したがって、本実施形態によれば、上記第１の実施形態の効果（１）〜（３）に加えて以下に示す効果を得ることができる。
（４）制御基板３３に設けられたフィルタ回路４１は、温ミストヒータ２６に伝播した放電ノイズが制御回路４０に伝播することを抑制する。そのため、温ミストヒータ２６から制御回路４０に放電ノイズが伝播することにより、制御回路４０が誤作動を生じることを抑制できる。
【００３４】
（第３の実施形態）
次に、本発明の第３の実施形態を図５に従って説明する。なお、第３の実施形態は、電源回路３９からの電源供給に基づいて放電部３４及び温ミストヒータ２６を制御するための制御基板３３を備えない点が上記各実施形態と異なる。したがって、以下の説明においては、上記各実施形態と相違する構成について主に説明するものとし、上記各実施形態と同一又は相当する構成については同一符号を付して重複説明を省略するものとする。
【００３５】
さて、図５に示すように、囲い板２９と電源回路３９とを導電線３２を介して電気的に接続する第２の導電路５２の途中位置であって、且つ、高電圧発生部４３と電源回路３９とを電気的に接続する第３の導電路５３の途中位置にフィルタ回路４１が介設されている。フィルタ回路４１は、電源から電源コード３８を通じて電源回路３９に伝播したノイズが電源回路３９から高電圧発生部４３に放出されることにより、高電圧発生部４３から放電針３６に印加される電圧の大きさに影響を及ぼすことを規制している。
【００３６】
そして、本実施形態では、放電部３４に発生した放電ノイズが囲い板２９に伝播したとしても、こうした放電ノイズは、囲い板２９から導電線３２を通じた電源回路３９への伝播に際してフィルタ回路４１によって減衰される。したがって、放電部３４から囲い板２９に対して放電ノイズが伝播したとしても、こうした放電ノイズが電源を通じて外部に放出されることが抑制される。
【００３７】
したがって、本実施形態によれば、上記第１の実施形態の効果（１）、（３）と同様の効果が得られる。
なお、上記各実施形態は、以下のように変更してもよい。
【００３８】
・上記第１の実施形態において、ＰＴＣ素子２８と制御回路４０との間を導電線３２によって接続するようにしてもよい。
・上記第２の実施形態及び上記第３の実施形態において、ＰＴＣ素子２８とフィルタ回路４１との間を導電線３２によって接続するようにしてもよい。
【００３９】
・上記第１の実施形態及び第２の実施形態において、制御基板３３とは別部材構成でフィルタ回路を新たに設けると共に、このフィルタ回路を囲い板２９と電源回路３９との間に介設するようにしてもよい。
【００４０】
・上記各実施形態において、電源回路３９から温ミストヒータ２６への電力の供給を、フィルタ回路４１を介して行うようにしてもよい。
・上記各実施形態において、本発明を美容装置の一種である美容器１０に具体化したが、同じく美容装置の一種である加湿器などに具体化してもよい。
【符号の説明】
【００４１】
１０…ミスト発生装置及び美容装置としての美容器、２６…温ミストヒータ（ヒータ）、２８…発熱体としてのＰＴＣ素子、２９…導電体としての囲い板、３２…導電路の一部を構成する導電線、３３…制御装置としての制御基板、３６…放電電極としての放電針、４０…制御回路、４１…ノイズフィルタとしてのフィルタ回路、５１，５２，５３…導電路。
【図１】
2011239984.tif 000003
【図２】
2011239984.tif 000004
【図３】
2011239984.tif 000005
【図４】
2011239984.tif 000006
【図５】
2011239984.tif 000007